(57)【特許請求の範囲】
【請求項１】
ハイビーム用発光ダイオード（１０２）とロービーム用発光ダイオード（１０１）の２個の発光ダイオードを搭載したプリント配線基板を張り付けた端子付配線付の銅板（１００）２枚と、当該銅板（１００）２枚は、それぞれ銅製のヒートパイプの扁平体（２０１）の表と裏に１枚ずつ熱伝導性の接着剤を介して取り付けられており、当該扁平体（２０１）と一体化されている銅製のヒートパイプ（２００）であり、かつ、アルミニウム製の第一の放熱台座口金（５０２）に嵌合する部位は円筒状である銅製のヒートパイプ（２００）と、アルミニウム製第一の放熱台座の鍔（５０１）の発光ダイオード側（鍔の上方円筒）に、回転自在に嵌入保持される金属製口金（４００）と、前記アルミニウム製第一の放熱台座の鍔の空洞部側（鍔の下方円筒）はアルミニウム製第二の放熱台座口金内周面（６０１）に圧入される円筒状の部位（５０３）を有するアルミニウム製第一の放熱台座（５００）と、当該アルミニウム製第一の放熱台座（５００）が圧入される円筒形の空間とファン付モータ（７００）を収納する空洞（６０３）と空洞を取り巻く周面に放熱フィン（６０２）を有するアルミニウム製第二の放熱台座（６００）と、該アルミニウム製第二の放熱台座の空洞部に収納されたファン付モータ（７００）と、当該ファン付モータを固定するための固定用底板（８００）とを具備し、それぞれが一つの軸線上で組み合わされたヒートパイプ冷却ダブル型高輝度発光ダイオード前照灯であって、両端が半円柱で、半円柱と半円柱のほぼ中心部にハイビーム用発光ダイオード（１０２）とロービーム用発光ダイオード（１０１）の２個の発光ダイオードの発光部が見える窓（３０３）を有する板状中間部を有する放熱部材（３０１）と、該放熱部材（３０１）と対をなす、両端が半円柱で板状中間部を有する放熱部材（３０２）とで、前記発光ダイオード基板付のヒートパイプの扁平体（２０１）を挟むと両端が円柱状になる放熱部品（３００）を具備し、当該放熱部品（３００）は、円柱の中心部に２個の発光ダイオード基板付のヒートパイプの扁平体（２０１）を収納する溝（３０４）を、前記放熱部材（３０１）と放熱部材（３０２）の中心部に設けた構造であり、かつ、当該放熱部品（３００）がアルミニウム製であるヒートパイプ冷却ダブル型高輝度発光ダイオード前照灯。
【請求項２】
前記ロービーム用発光ダイオード（１０１）のみに、点灯して前方を照らす時、前照灯内部で下方向に行く光を遮るシェード（１０５）を設け、かつ、前記金属製口金（４００）の角度を調節及び固定するための、ネジとネジ穴（４０３）をアルミニウム製第一放熱台座の円筒円周部に設けた請求項１に記載されたヒートパイプ冷却ダブル型高輝度発光ダイオード前照灯。
【請求項３】
前記ロービーム用発光ダイオード（１０１）のみに設けるシェードの形状が、当該ロービーム用発光ダイオード（１０１）の下端部に取り付けられ、ロービーム用発光ダイオード（１０１）の前照灯内部で下方向に行く光のみを遮る大きさのカップ状遮光体である請求項２に記載されたヒートパイプ冷却ダブル型高輝度発光ダイオード前照灯。
【請求項４】
前記アルミニウム製の第一の放熱台座（５００）は、アルミニウム製の第二の放熱台座口金内周面に圧入される円筒（５０３）を有し、円筒の先端部にスリットを設けた請求項１ないし請求項３のいずれかに記載されたヒートパイプ冷却ダブル型高輝度発光ダイオード前照灯。
【請求項５】
前記放熱部品（３００）が、Ａ６０６３からなる請求項１ないし請求項４のいずれかに記載されたヒートパイプ冷却ダブル型高輝度発光ダイオード前照灯。
【請求項６】
前記端子付配線付の銅板（１００）が、熱伝導性接着剤を介して、厚さが１．０ｍｍ〜３．０ｍｍのヒートパイプ扁平体（２０１）へ取り付けられ、発光ダイオードの発光部の１片の長さが５〜７ｍｍである請求項１ないし請求項５のいずれかに記載されたヒートパイプ冷却ダブル型高輝度発光ダイオード前照灯。
【請求項７】
前記プリント配線基板（１０３）と前記銅板（１００）が熱伝導ペーストを介して取り付けられ、当該銅板（１００）の厚さが１ｍｍ以下であり、前記アルミニウム製第一の放熱台座と前記アルミニウム製第二の放熱台座のアルミニウムが、A６０６３であり、プリント配線基板を張り付けた当該銅板がC1100である請求項１ないし請求項６のいずれかに記載されたヒートパイプ冷却ダブル型高輝度発光ダイオード前照灯。
【発明の詳細な説明】
【技術分野】
【０００１】
本発明は、発光ダイオードを用いた照明灯及び車両用前照灯、特に、ヒートパイプ冷却発光ダイオードを用いた自動車用ダブル型高輝度ＬＥＤ前照灯に関するものである。
【０００２】
近年、発光ダイオードは、低電力で高発光が得られること、寿命が長いこと、構造が簡
単なこと、装置がコンパクトであること、など、長所が多いことがら、暫時その使用が広
まっている。しかしながら、高温になると効率が著しく低下することが、欠点として挙げ
られる。
【背景技術】
【０００３】
特許文献１には、特に効果的に冷却される発光ダイオード装置を提供することを課題と
し、各発光ダイオードチップに少なくとも１つの光学素子が対応配置されており、発光ダ
イオードチップにより発生させられた熱を導出するために適した少なくとも１つの熱伝導
エレメントと、該熱伝導エレメントにより導出された熱を導出するために適した少なくと
も１つの冷却装置とが設けられていることが記載されている。
【０００４】
特許文献２には、自動車前部に設けて進行方向の安全を確認するための長寿命かつ低電
力の前照灯を提供することを課題として、前照灯は、投影用凸レンズと、この投影用凸レ
ンズの後方焦点Ｆの後方に配置される複数のＬＥＤチップで構成された発光面とを備えて
おり、定電流駆動回路は各ＬＥＤチップをオン／オフ制御し、制御回路（図示せず）はＬ
ＥＤチップをグループごとに通電タイミングの位相をずらして点灯し、ＬＥＤチップから
一定の発光量の放出光を導き出すことが記載されている。
【０００５】
特許文献３には、少なくとも１つの発光ダイオードと、少なくとも１つの発光ダイオード
を冷却するための冷却体とを備えた照明装置に関し、冷却体に掛合手段が設けられており
、掛合手段が、照明装置のためのホルダとバヨネット継手を形成するために役立つように
し、少なくとも１つの照明装置が、光源として自動車前照灯内に配置されていることが記
載されている。
さらに、特許文献４には、発光ダイオードが搭載されている半導体基板を固着したアルミニウム板を、銅製の熱伝導棒に直接固定し、当該固定されたアルミニウム板部位の熱伝導棒部位を除いて、遮光壁Ａと遮光壁Ｂを形成するように、銅製の熱伝導棒の表面をアルミニウムで口金に達する部位まで被覆した上部構造と、長い銅製の熱伝導棒を有する下部構造からなる銅製の熱伝導棒で連結された光源支持体を、長い銅製の熱伝導棒で、口金を介して中心部が空洞になっているアルミニウム製放熱台座に嵌合させ、銅製の熱伝導棒の先端部が空洞部の奥深く侵入した位置で固定し、空洞部の空気で銅製の熱伝導棒の冷却することにより、発光ダイオードからの発熱をアルミニウム製放熱台座で逃がすことを特徴とする発光ダイオードを用いた照明灯及びそれを用いた車両用前照灯が開示されている。しかしながら、この車両用前照灯は、中心部に銅製の長い熱伝導棒を必要とし、銅が高価な上、重いため改良が望まれている。
また、特許文献５には、ハイビーム用とロービーム用の２個の発光ダイオードを搭載したプリント配線基板を張り付けた銅板を２枚用意し、アルミニウムで一体成型された熱伝導棒であり、上端と下端が円柱で、円柱と円柱のほぼ中心部に板状中間部があり、中間部に設けられた銅板取り付け平面を介してその両面に銅版を取り付け、熱伝導棒下端の円柱部外周面を、放熱フィンを有し中心部が空洞になっているアルミニウム製放熱台座の口金内周面に圧入嵌合させ、さらに、当該熱伝導棒の上端と下端の円柱に、円筒状の遮光板構造物をかぶせ所定の光線を遮蔽するダブル型高輝度ＬＥＤ前照灯が提案されている。
しかしながら、さらなる効率的な冷却構造を持つ、ダブル型高輝度ＬＥＤ前照灯の改良が望まれている。
【先行技術文献】
【特許文献】
【０００６】
【特許文献１】特開２００６−１００８３６号公報
【特許文献２】特開２００４−２１４１４４号公報
【特許文献３】特表２００８−５２４８６２号公報
【特許文献４】特開２０１４−２１１９７６号公報
【特許文献５】特願２０１４−２１１２５１
【発明の開示】
【発明が解決しようとする課題】
【０００７】
従来、発光ダイオードを用いたダブル型高輝度ＬＥＤ前照灯において、ハイビーム、ロービームの切り替えが、運転席の切り替えスイッチで切り替えが出来、車検基準であるカットオフラインを有するものであり、ロービーム時に６４００ｃｄ以上、ハイビーム時に１５０００ｃｄ以上の明るさを照射できるバルブであることが最低限要求されるが、さらには、ハイビーム時において２５０００ｃｄ、ロービーム時においてにおいて１５０００ｃｄのＨ４ＬＥＤバルブ（ダブル型高輝度ＬＥＤ前照灯）が安価に供給されることが要求されている。
【課題を解決するための手段】
【０００８】
上記課題を解決するために本発明者は、ダブル型高輝度LED前照灯において、発光ダイオードで発生する熱を効率よく逃がすダブル型高輝度発光ダイオード前照灯の構造を見出すに至った。
すなわち本発明は、ハイビーム用発光ダイオード（１０２）とロービーム用発光ダイオード（１０１）の２個の発光ダイオードを搭載したプリント配線基板を張り付けた端子付配線付の銅板（１００）２枚と、当該銅板（１００）２枚は、それぞれ銅製のヒートパイプの扁平体（２０１）の表と裏に１枚ずつ熱伝導性の接着剤を介して取り付けられており、当該扁平体（２０１）と一体化されている銅製のヒートパイプ（２００）であり、かつ、アルミニウム製の第一の放熱台座口金（５０２）に嵌合する部位は円筒状である銅製のヒートパイプ（２００）と、アルミニウム製第一の放熱台座の鍔（５０１）の発光ダイオード側（鍔の上方円筒）に、回転自在に嵌入保持される金属製口金（４００）と、前記アルミニウム製第一の放熱台座の鍔の空洞部側（鍔の下方円筒）はアルミニウム製第二の放熱台座口金内周面（６０１）に圧入される円筒状の部位（５０３）を有するアルミニウム製第一の放熱台座（５００）と、当該アルミニウム製第一の放熱台座（５００）が圧入される円筒形の空間とファン付モータ（７００）を収納する空洞（６０３）と空洞を取り巻く周面に放熱フィン（６０２）を有するアルミニウム製第二の放熱台座（６００）と、該アルミニウム製第二の放熱台座の空洞部に収納されたファン付モータ（７００）と、当該ファン付モータを固定するための固定用底板（８００）とを具備し、それぞれが一つの軸線上で組み合わされたヒートパイプ冷却ダブル型高輝度発光ダイオード前照灯であって、両端が半円柱で、半円柱と半円柱のほぼ中心部にハイビーム用発光ダイオード（１０２）とロービーム用発光ダイオード（１０１）の２個の発光ダイオードの発光部が見える窓（３０３）を有する板状中間部を有する放熱部材（３０１）と、該放熱部材（３０１）と対をなす、両端が半円柱で板状中間部を有する放熱部材（３０２）とで、前記発光ダイオード基板付のヒートパイプの扁平体（２０１）を挟むと両端が円柱状になる放熱部品（３００）を具備し、当該放熱部品（３００）は、円柱の中心部に２個の発光ダイオード基板付のヒートパイプの扁平体（２０１）を収納する溝（３０４）を、前記放熱部材（３０１）と放熱部材（３０２）の中心部に設けた構造であり、かつ、当該放熱部品（３００）がアルミニウム製であるヒートパイプ冷却ダブル型高輝度発光ダイオード前照灯である。
【０００９】
また、本発明のヒートパイプ冷却ダブル型高輝度発光ダイオード前照灯においては、前記ロービーム用発光ダイオード（１０１）のみに、点灯して前方を照らす時、前照灯内部で下方向に行く光を遮るシェード（１０５）を設け、かつ、前記金属製口金（４００）の角度を調節及び固定するための、ネジとネジ穴（４０３）をアルミニウム製第一放熱台座の円筒円周部に設けることができる。
さらに、本発明のヒートパイプ冷却ダブル型高輝度発光ダイオード前照灯においては、前記ロービーム用発光ダイオード（１０１）のみに設けるシェードの形状が、当該ロービーム用発光ダイオード（１０１）の下端部に取り付けられ、ロービーム用発光ダイオード（１０１）の前照灯内部で下方向に行く光のみを遮る大きさのカップ状遮光体であることが望ましい。
またさらに、本発明のヒートパイプ冷却ダブル型高輝度発光ダイオード前照灯においては、前記アルミニウム製の第一の放熱台座（５００）は、アルミニウム製の第二の放熱台座口金内周面に圧入される円筒（５０３）を有し、円筒の先端部にスリットを設けることが好ましい。
【００１０】
さらに、本発明のヒートパイプ冷却ダブル型高輝度発光ダイオード前照灯においては、前記放熱部品（３００）が、Ａ６０６３からなることが望ましい
また、本発明のヒートパイプ冷却ダブル型高輝度発光ダイオード前照灯においては、前記端子付配線付の銅板（１００）が、熱伝導性接着剤を介して、厚さが１．０ｍｍ〜３．０ｍｍのヒートパイプ扁平体（２０１）へ取り付けられ、発光ダイオードの発光部の１片の長さが５〜７ｍｍであることが好ましい。
さらにまた、本発明のヒートパイプ冷却ダブル型高輝度発光ダイオード前照灯においては、前記プリント配線基板（１０３）と前記銅板（１００）が熱伝導ペーストを介して取り付けられ、当該銅板（１００）の厚さが１ｍｍ以下であり、前記アルミニウム製第一の放熱台座と前記アルミニウム製第二の放熱台座のアルミニウムが、A６０６３からなり、プリント配線基板を張り付けた当該銅板がC1100であることが望ましい。
【発明の効果】
【００１１】
本発明のヒートパイプ冷却ダブル型高輝度ＬＥＤ前照灯は、効率よく放熱でき、長時間効率が低下することなく使用することができ、低電力で高出力がえられ、長寿命で安価なコンパクトな車両用ダブル型高輝度ＬＥＤ前照灯を得ることができた。
【図面の簡単な説明】
【００１２】
【図１】は、本発明のヒートパイプ冷却ダブル型高輝度ＬＥＤ前照灯の分解図
【図２】は、本発明のヒートパイプ冷却ダブル型高輝度ＬＥＤ前照灯に用いるＬＥＤ
【発明を実施するための形態】
【００１３】
本発明のダブル型高輝度発光ダイオード前照灯は、図１に示すように、銅板（１００）、ロービーム用発光ダイオード（１０１）  、ハイビーム用発光ダイオード（１０２）、プリント配線基板（１０３）、接続端子（１０４）、取り付け孔（１０５）、内部が空洞であり、空洞中に焼結金属微粒子と循環媒体が充填され、銅板（１００）を取り付ける部位は扁平体であり、アルミニウム製口金に取りつける部位は円筒体である銅製のヒートパイプ（２００）、ヒートパイプ扁平体部位（２０１）、ヒートパイプ円筒体部位（２０２）、ＬＥＤ基板を挟持する放熱部品（３００）、両端半円柱で平板状中間部を有する放熱部品（３０１）、もう一方の上下半円柱で平板状中間部を有する放熱部品（３０２）、発光ダイオードの発光部が見える窓（３０３）、ハイビーム用とロービーム用の２個の発光ダイオード基板付のヒートパイプの扁平体部位（２０１）が収納できる溝（３０４）、金属性口金（４００）、熱伝導棒の足部受け入れ口（４０１）、取り付け部材（４０２）、貫通穴内周面（４０３）、アルミニウム製の第一の放熱台座（５００）、鍔部（５０１）、ヒートパイプ円筒体部位が圧入される第一の放熱台座口金（５０２）、スリット（放熱のため）（５０３）、アルミニウム製の第二の放熱台座（６００）、第一の放熱台座の円筒状の部位が圧入される第二の放熱台座口金内周面（６０１）、第二の放熱台座外周に設けられた放熱フィン（スリット）（６０２）、放熱台座空洞（６０３）、ファン付モータ（７００）、ファン付モータ固定用底板（８００）、をその主要部とする。
本発明の主要部を構成する材料について述べる。銅板（１００）を構成する銅は、無酸素銅Ｃｕ−ＯＦ，タフピッチ銅Ｃｕ−ＥＴＰ、市販のタフピッチ銅ｃ1100（タフピッチ銅とは、展延性や絞り加工性、耐食性、耐侯性に優れた純度は99.90%以上の純銅）、りん脱酸銅Ｃｕ−ＤＨＰ、黄銅８５／１５Ｂｒａｓｓ、黄銅６５／３５Ｂｒａｓｓ、黄銅６０／４０Ｂｒａｓｓ、快削黄銅Ｆｒｅｅ  Ｃｕｔｔｉｎｇ  Ｂｒａｓｓ、鋳造用黄銅  Ｆｏｒｇｉｎｇ  Ｂｒａｓｓ、高力黄銅Ｈｉｇｈ  Ｔｅｎｓｉｏｎ  Ｂｒａｓｓ、快削高力黄銅Ｆｒｅｅ  Ｃｕｔｔｉｎｇ  Ｈ．Ｔ．Ｂ等があるが無酸素銅Ｃｕ−ＯＦ，タフピッチ銅Ｃｕ−ＥＴＰ、市販のｃ1100（タフピッチ銅）、りん脱酸銅Ｃｕ−ＤＨＰが好ましく用いられる。ＬＥＤ基板を挟持する放熱部品（３００）、金属性口金（４００）、アルミニウム製第一の放熱台座（５００）、アルミニウム製第二の放熱台座（６００）を構成するアルミニウムは、純アルミ１０５０（Ａ１０５０）、耐食アルミ５０５２と５０５６（Ａ５０５２とＡ５０５６）、アルミ２０１７（Ａ２０１７）、アルミ２０２４とアルミ７０７５（Ａ２０２４とＡ７０７５）、快削アルミ２０１１（Ａ２０１１）Ａ６０６３の平角棒とパイプ（Ａ５０６３）、アルミ６０６１（Ａ６０６１）アルミ５０８３（Ａ５０８３）、アルミーゴＨａｒｄ、等を挙げることが出来る。
Ａ６０６３が好ましく用いられる。以下、各主要部について詳述する。
【００１４】
厚さが１ｍｍ以下の銅板（１００）の表面にプリント配線基板を高熱伝導接着剤等で張り付け、裏面は銅の地金のまま用いる。銅板は薄いほどよく０．６ｍｍが好ましく用いられる。
プリント配線基板には端子（１０３）があり、ロービーム用発光ダイオード（１０２）とハイビーム用発光ダイオード（１０２）が取り付けられている。
発光ダイオードは、一辺が５ｍｍ〜７ｍｍのものを利用した。５ｍｍ以下では、発光量が少なく、７ｍｍ以上では焦点がぼやけてくる。
また、ロービーム用発光ダイオード（１０２）のみ、点灯して前方を照らす時、下方向に行く光を遮るシェード（１０５）を設けることが好ましい。
本願発明において用いられるヒートパイプは、市販のものが用いられる。すなわち、発光ダイオード基板を取り付ける部位は扁平体（２０１）であり、アルミニウム製口金に取りつける部位は円筒体（２０２）である銅製のヒートパイプであり、ヒートパイプの中には、焼結金属微粒子と循環媒体が充填され、循環媒体は水、アルコールが用いられている。ヒートパイプの扁平体部位の厚さは１ｍｍ〜３ｍｍ程度のものを選ぶ。
表面にプリント配線基板（１０３）を設けた銅板と銅製のヒートパイプは、金属紛体を混入した高熱伝導接着剤等で接着する。接着剤は、エポキシ系、イミド系のものが用いられる。
ＬＥＤ基板とヒートパイプの扁平体を挟持する放熱部品（３００）は、両端が半円柱で、半円柱と半円柱のほぼ中心部に発光ダイオードの発光部が見える窓（３０３）を有する板状中間部を有する放熱部品（３０１）と、もう一方の両端が半円柱で平板状中間部を有する放熱部品（３０２）で、ＬＥＤ基板付のヒートパイプの扁平体を挟み付けたとき、両端が円柱状になり、円柱の中心部に発光ダイオード基板付のヒートパイプの扁平体が収納できる溝をそれぞれの半円柱の円柱中心部に設けた発光ダイオード基板付ヒートパイプ扁平体部位を挟持するためのアルミニウム製の放熱部品で、ＬＥＤ基板付のヒートパイプの扁平体部位を挟持する。放熱部品（３０１）と、もう一方の両端が半円柱で平板状中間部を有する放熱部品（３０２）をネジで固定してＬＥＤ基板付のヒートパイプの扁平体を挟み付けることもできる。
本発明のヒートパイプ冷却ダブル型高輝度発光ダイオード前照灯においては、ハイビーム用とロービーム用の２個の発光ダイオードを直列につなぐことが望ましい。何故なら、直列回路の場合、LEDチップの数に関係なく、LEDチップ１個の電流値で点灯することができるので、発熱量が少ないのに対し、並列回路の場合、LEDチップの数だけ、チップ当たりの電流値が必要となってくるために複数のLEDチップを点灯さす場合、電流を多くしなければならず、発熱量も多くなるからである。
【００１５】
本発明において、金属性口金（４００）、熱伝導棒の足部受け入れ口（４０１）、取り付け部材（４０２）、貫通穴内周面（４０３）を有し、金属性口金（４００）の側面にネジ穴を設けて（図示せず）、ヒートパイプ冷却ダブル型高輝度ＬＥＤ前照灯を設置する際に、ヒートパイプの角度を微調整した後、ヒートパイプ（２００）をネジで固定できるようにしている。
また、本発明において、アルミニウム製の第一の放熱台座（５００）は、鍔部（５０１）、ヒートパイプ円筒体部位が圧入される第一の放熱台座口金（５０２）、第二の放熱台座口金内周面（６０１）に圧入される円筒部（５０３）を有し、所望により、円筒部（５０３）先端部にスリット（放熱のため）（５０４）を有する。
さらに、本発明において、アルミニウム製の第二の放熱台座（６００）は、第一の放熱台座の円筒状の部位が圧入される第二の放熱台座口金内周面（６０１）、第二の放熱台座外周に設けられた放熱フィン（スリット）（６０２）、放熱台座空洞（６０３）を有し、放熱台座空洞（６
０３）には、ファン付モータ７００を収納することが出来る。
さらに、第二の放熱台座（６００）の底部周面にネジ穴を設け、ファン付モータ固定用底板（８００）をネジで止めることが出来る。圧入嵌合の圧力は１ｔ/ｃｍ２以上が好ましく、圧力が高い方が、熱伝導効率が良い。
【００１６】
本発明において、プリント基板の固定方法は熱伝導性基板の接着剤により固定しても良く、金属ペーストを塗布した後、リベットにより固定しても良く、超音波溶接により、固定しても良い。熱伝導性の優れた接着剤としてはDiemat Inc.製、ＳＫ３０Ｎ、ＳＫ６０Ｎ、ＳＫ７０Ｎ、ＳＫ１００Ｎ、ＳＫ１００ＳＤＮ、ＳＫ１００ＳＦＮなどが挙げられる。金属ペーストとしては金ペースト、銀ペースト、銅ペースト、ニッケルペーストなどが知られているが、散熱性や経済性から見ると銀ペーストが好ましい。銀ペーストの例としてはCT212M,CT284R、CT285（京セラケミカル（株））、TB3300シリーズ（（株）スリーボンド）などが挙げられる。
これらの固定方法の中では超音波溶接による固定は発光ダイオードユニットを不用な物質
の介在が無く、直接固定することができ、また、接着剤の塗布工程や金属ペーストの塗布
工程およびねじ止め工程を省略することができるので、最も好ましい。
当然、接着剤や金属ペーストによる固定と超音波溶接を併用することもできる。また、
超音波溶接による固定を行った後、ねじ止めにより固定しても良い。  
【００１７】
発光ダイオードの電力供給線は、図示していないが、銅板（１００）の内部又は外部に沿わせて配置することができる。通常は、電線を用いるが、導電性フィルムや導電性薄膜を用いることも可能である。
熱台座に設ける放熱フィンは、薄い板状のものが、光軸に平行に支柱から突出したものや、光軸に対して直角の板状の突出したものや、光軸に対して直角に棒状の突出したものが、想起されるが、いずれのものでも可能である。
【００１８】
発光ダイオードの電力供給線は、図示していないが、銅板（１００）の内部又は外部に沿わせて配置することができる。通常は、電線を用いるが、導電性フィルムや導電性薄膜を用いることも可能である。
第一の放熱台座（５００）に設ける放熱フィン（５０３）は、円筒に一方向にスリット加工をしたものや、縦横方向にスリット加工しものや、スリットの幅を変えたものなどが、想起されるが、いずれのものでも可能である。
また、第二の放熱台座（６００）に設ける放熱フィン（６０２）は、円筒部周辺に一面に設けられ、外観も大切であるので、スリットの幅を変えたものなど、整然と設けられることが望ましい。要するに第二の放熱台座空洞（６０３）に入れられたファン付モータの送り出す風が効率よくスリットの間を通り抜け第二の放熱台座（６００）を冷却できるよう作られるべきである。
本発明において、熱伝導性を高めるために必要により、金属ペーストを用いても良い。
金属ペーストとしては金ペースト、銀ペースト、銅ペースト、ニッケルペーストなどが知られているが、散熱性や経済性から見ると銀ペーストが好ましい。銀ペーストの例としてはCT212M,CT284R、CT285（京セラケミカル（株））、TB3300シリーズ（（株）スリーボンド）などが挙げられる。
【００１９】
発光ダイオードの電力供給電線、及び冷却用ファンのモータの電力供給電線は、図示していないが、電線、導電性フィルム、導電性薄板等いずれのものでもよい。
接続も、コネクタで結線してもよいし、カバーで一体的に固着と同時に結線するタイプ
でもよい。
発光ダイオオードの基板温度は、約８０℃以下の保持されるのが、理想であり、１００℃以上になると、発光ダイオードの明るさの低下および、寿命が短くなる。
したがって、約８０℃以下に基板が保持されるよう、放熱フィンのフィン、冷却ファン
等を考慮して設計されなければならない。
【実施例１】
【００２０】
（参考例１）
本発明の実施例を示す。
図１及び図２において、５．２ｍｍ×５．２ｍｍのロービーム用の発光ダイオード（１０１）及びハイビーム用の発光ダイオード（１０２）を搭載したプリント配線基板（１０３）を張り付けた銅板（１００）＜材質銅Ｃ１１００＞を２枚用意した。銅板は厚さ０．６ｍｍ、横８．９ｍｍ×縦２１．９ｍｍであり、発光ダイオードが搭載されている裏側の銅面を、熱伝導性接着剤（Diemat Inc.製、ＳＫ６０Ｎ）を用いて、銅で一体成型されたヒートパイプ扁平体部位（２０１）の表面に接着した。同様にもう一組の５．２ｍｍ×５．２ｍｍのロービーム用発光ダイオード（１０１）及びハイビーム用の発光ダイオード（１０２）を搭載したプリント配線基板（１０３）を張り付けた銅板（１００）を、ヒートパイプ扁平体部位（２０１）の表面に接着した。
受け入れ口（４０１）、取り付け部材（４０２）、貫通穴内周面（４０３）を有する金属性口金（４００）を、貫通穴内周面（４０３）を通して、ヒートパイプ円筒体部位（２０２）の先端を第一のアルミニウム放熱台座口金（５０２）に圧入する。なお、回転自在の金属性口金（４００）の側面にネジ穴を設けて（図示せず）、ヒートパイプ冷却ダブル型高輝度発光ダイオード前照灯を設置する際に、ヒートパイプの角度を微調整した後、ヒートパイプ（２００）をネジで固定することもできる。
さらに、第一のアルミニウム製放熱台座（５００）は、鍔部（５０１）、ヒートパイプ円筒体部位が圧入される第一の放熱台座口金（５０２）と第二の放熱台座口金内周面（６０１）に圧入される円筒部（５０３）を有する。
さらに、本発明において、アルミニウム製の第二の放熱台座（６００）は、第一の放熱台座の円筒状の部位が圧入される第二の放熱台座口金内周面（６０１）、第二の放熱台座外周に設けられた放熱フィン（スリット）（６０２）、放熱台座空洞（６０３）を有し、放熱台座空洞（６０３）には、ファン付モータ（７００）を収納することが出来る。さらに、第二のアルミニウム製放熱台座（６００）の底部周面にネジ穴を設け、ファン付モータ固定用底板（８００）をネジで止めることが出来る。圧入嵌合の圧力は１ｔ/ｃｍ２以上が好ましく、圧力が高い方が、熱伝導効率が良い。全体の寸法は、ファン付モータ固定用底板（８００）から遮光板構造物の頭部分までの寸法は９８．２ｍｍ、下端のファン付モータ固定用底板８００の直径４３．５ｍｍ、口金４０１の最大径が４６．５ｍｍのヒートパイプ冷却ダブル型高輝度ＬＥＤ前照灯を作成した。
口金基準面からハイビーム用発光ダイオード１０２の中心までの距離は２６．０ｍｍであり、ロービーム用の発光ダイオード１０１の中心までの距離は３１．２ｍｍであった。
【実施例２】
【００２１】
（実施例１）
参考例１において、ロービーム用の発光ダイオード（１０１）及びハイビーム用の発光ダイオード（１０２）が搭載されているプリント配線基板１０３裏側の銅面１００を、熱伝導性接着剤（Diemat Inc.製、ＳＫ６０Ｎ）を用いて、銅で一体成型されたヒートパイプ扁平体部位（２０１）の表面に接着し、同様にもう一組の５．２ｍｍ×５．２ｍｍのロービーム用発光ダイオード（１０１）を搭載したプリント配線基板（１０３）を張り付けた銅板（１００）を用意し、もう一方のヒートパイプ扁平体部位（２０１）の表面に接着し、両面に発光ダイオード（ＬＥＤ）が搭載されている裏側の銅面を接着したヒートパイプ扁平体部位を、ＬＥＤ基板とヒートパイプの扁平体を同時に挟持するアルミニウム放熱部品（３００）、すなわち、両端が半円柱で、半円柱と半円柱のほぼ中心部にＬＥＤ（ロービーム用の発光ダイオード１０１及びハイビーム用の発光ダイオード１０２）の発光部が見える窓（３０３）を有する板状中間部を有する放熱部品（３０１）と、もう一方の両端が半円柱で平板状中間部を有する放熱部品（３０２）で、ＬＥＤ基板付のヒートパイプの扁平体を挟み付けたとき、両端が円柱状になり、円柱の中心部にＬＥＤ基板付のヒートパイプの扁平体が収納できる溝（３０４）をそれぞれの半円柱の円柱中心部に設けた発光ダイオード基板付ヒートパイプ扁平体部位（２０１）を挟持するためのアルミニウム製の放熱部品（３００）で、発光ダイオード基板付のヒートパイプの扁平体部位（２０１）を挟持する構造とした。アルミニウム放熱部品の材質はアルミＡ６０６３であった。
【実施例３】
【００２２】
（実施例２）
実施例１において、アルミニウム第二の放熱台座口金内周面（６０１）に圧入される円筒部（５０３）の先端にスリットを設けたほかは実施例１と同じことを行った。
【実施例４】
【００２３】
（参考例２）
実施例１において、ＬＥＤ基板とヒートパイプの扁平体を挟持する放熱部品（３００）の材質をＡ６０６３からダイキャストアルミＡＤＣ１２に変えたほかは実施例２と同じことを行った。
【００２４】
（比較例１）  
参考例１において、発光ダイオード（ＬＥＤ）が搭載されている銅板（１００）に変えて、Ａ６０６３を用いたアルミ板を用いた。
本発明のダブル型高輝度ＬＥＤ前照灯の特性を表1に示す。
【００２５】
【表１】
0005877598.tif 000002
【産業上の利用可能性】
【００２６】
本発明のダブル型高輝度ＬＥＤ前照灯は、冷却構造が簡単で、安価にダブル型高輝度ＬＥＤ前照灯を大量生産することができ、その利用範囲が広いため産業上極めて利用可能性が高いものである。
【符号の説明】
【００２７】
１００  銅板
１０１  ロービーム用発光ダイオード（ＬＥＤ）
１０２  ハイビーム用発光ダイオード（ＬＥＤ）
１０３  プリント配線基板
１０４  接続端子
１０５  下方向に行く光を遮るシェード
２００  内部が空洞であり、空洞中に焼結金属微粒子と循環媒体が充填され、ＬＥＤ基板を取り付ける部位は扁平体であり、アルミニウム製口金に取りつける部位は円筒体である銅製のヒートパイプ
２０１  ヒートパイプ扁平体部位
２０２  ヒートパイプ円筒体部位
３００  ＬＥＤ基板を挟持する放熱部品
３０１  両端半円柱で平板状中間部を有する放熱部品
３０２  もう一方の上下半円柱で平板状中間部を有する放熱部品
３０３  ＬＥＤが顔を出す窓
３０４  ハイビーム用とロービーム用の２個のＬＥＤ基板付のヒートパイプの扁平体が収納できる溝体
４００  金属製口金
４０１  受け入れ口
４０２  口金の位置決めと取り付けのための部材
４０３  貫通穴内周面
５００  アルミニウム製の第一の放熱台座
５０１  鍔部
５０２  ヒートパイプ円筒体部位が圧入される第一の放熱台座口金
５０３  第二の放熱台座口金内周面に圧入される円筒部
５０４  スリット加工（放熱のため）
６００  アルミニウム製の第二の放熱台座
６０１  第一の放熱台座の円筒状の部位が圧入される第二の放熱台座口金内周面、
６０２  第二の放熱台座外周に設けられた放熱フィン（スリット加工）
６０３  放熱台座空洞
７００  ファン付モータ
８００  ファン付モータ固定用底板
【要約】      （修正有）【課題】ヒートパイプを用いて発光ダイオードで発生する熱を効率よく逃がすことにより、低電力で高出力が得られ、長超寿命で、構造が簡単で、コンパクトなヒートパイプ冷却ダブル型高輝度ＬＥＤ前照灯の構造を提供する。【解決手段】ハイビーム用とロービーム用の２個の発光ダイオード１０２、１０１を搭載したプリント配線基板１０３を銅製のヒートパイプ２０２に接着剤で張付けられ、アルミニウム製の第一の放熱台座口金５００に嵌合する。第一の放熱台座５００は、回転自在に嵌入保持されるアルミニウム製口金で、第二の放熱台座６００口金内周面に圧入される円筒状の部位を有する。アルミニウム製の第二の放熱台座６００は、第一の放熱台座５００とファン付モータ７００を収納する空洞６０３と空洞を取り巻く周面に放熱フィン６０２を有する。【選択図】図１【図１】
0005877598.tif 000003
【図２】
0005877598.tif 000004